【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
植込型医療デバイスを備えるシステムであって、該植込型医療デバイスは、
指定された除細動治療を組織部位に提供するように構成された治療回路であって、該指定された除細動治療は予定された完了を含み、前記治療回路は、提供されている除細動治療の指定を調節し、調節された除細動治療を予定された完了の前に提供するように構成された保護回路を備える、治療回路と、
前記治療回路を制御するように構成されたプロセッサ回路と、
比較器を含む監視回路であって、指定された除細動治療の提供中に比較器を用いて、治療回路の出力パラメータを監視するように構成されている監視回路と、を備え、
前記比較器は、治療回路の出力パラメータを指定された閾値と比較するように構成されており、
前記監視回路は、治療回路の出力パラメータが指定された閾値を超えると比較器によって示されるとき、保護回路に除細動治療の指定を調節させるように構成されており、
監視回路および保護回路はプロセッサ回路に対して非同期に動作するように構成されている、システム。
【請求項２】
保護回路は、治療回路が指定された除細動治療を完了させることを禁止するように構成されている、請求項１に記載のシステム。
【請求項３】
監視回路はプロセッサ回路に結合されており、治療回路の出力パラメータが前記指定された閾値を超えることが比較器によって示されるとき、障害を表す情報をプロセッサ回路に提供するように構成されている、請求項１または２に記載のシステム。
【請求項４】
治療回路は、障害を表す情報を用いてプロセッサによって提供される調節された除細動治療出力パラメータを用いて除細動治療を提供するように構成されており、前記調節された除細動治療出力パラメータは、障害が存在しない状態において提供される指定された治療出力パラメータと比較して、調節された電流と、調節された電圧と、調節された出力と、調節されたエネルギーとのうちの１つ以上を含む、請求項３に記載のシステム。
【請求項５】
プリント配線板上のトレースによって提供される抵抗を含む感知要素をさらに備え、
治療回路の出力パラメータは出力電流を含み、
監視回路は感知要素を用いて出力電流を監視するように構成されている、請求項１に記載の植込型医療デバイス。
【請求項６】
プロセッサ回路およびメモリ回路を備える植込型医療デバイスであって、前記メモリ回路は、前記プロセッサ回路によって実行されたとき、植込型医療デバイスに、
治療回路を用いて、指定された除細動治療を組織部位に提供することであって、該指定された除細動治療は、予定された完了を含む、提供することと、
指定された除細動治療の提供中、プロセッサ回路に関して非同期に動作する監視回路を用いて、治療回路の出力パラメータを監視することであって、治療回路の出力パラメータを指定された閾値と比較することを含む、監視することと、
保護回路を用いて提供されている除細動治療の指定を調節することであって、治療回路の出力パラメータが指定された閾値を超えるとき調節された除細動治療を予定された完了の前に提供するように構成された、前記調節することと、を実行させる命令を含む、植込型医療デバイス。
【請求項７】
前記メモリ回路は、植込型医療デバイスに、
治療出力パラメータが前記指定された閾値を超えることに応答して、障害を表す情報をプロセッサ回路に提供することと、
障害を表す情報にかかわらず、指定された除細動治療を完了させることを治療回路に少なくとも試行させることと、を行わせるための命令を備える、
請求項６に記載の植込型医療デバイス。
【請求項８】
前記メモリ回路は、植込型医療デバイスに、
障害の数をカウントし、
プロセッサは、障害の数のカウントが指定されたカウントを超えるとき、障害を表す情報にかかわらず、指定された除細動治療を完了することを治療回路に少なくとも試行させるための命令を備える、請求項７に記載の植込型医療デバイス。
【請求項９】
前記メモリ回路は、植込型医療デバイスに、
不整脈エピソードの持続時間を測定することと、
不整脈エピソードの持続時間が指定された持続時間を超えるとき、障害を表す情報にかかわらず、指定された除細動治療を完了させることを治療回路に少なくとも試行させることと、を行わせるための命令を備える、
請求項７または８に記載の植込型医療デバイス。
【請求項１０】
治療回路の出力パラメータは出力電流を含み、
監視回路は、プリント配線板上のトレースによって提供される抵抗を含む感知要素を用いて出力電流を監視するように構成されている、請求項６に記載の植込型医療デバイス。
【手続補正２】
【補正対象書類名】明細書
【補正対象項目名】００６６
【補正方法】変更
【補正の内容】
【００６６】
図１〜７の例のうちの１つ以上は、ログ記録その他、１つ以上の障害についての情報を記録することを含むことが可能である。そのような情報は、図１に示したものなど１つ以上の局所または遠隔の外部アセンブリに後で送られるか他の場合には通信されることが可能である（欠陥または障害に遭遇したことを患者、医師、その他の介護者に警告するためになど）。
［項目１］
医療デバイスを備えるシステムであって、該医療デバイスは、
指定された電気刺激治療を組織部位に提供するように構成された治療回路であって、該特定の電気刺激治療は予定された完了を含み、前記治療回路は、提供されている電気刺激治療の指定を調節し、調節された電気刺激治療を予定された完了の前に提供するように構成された保護回路を備える、治療回路と、
比較器を含む監視回路であって、指定された電気刺激治療の提供中に比較器を用いて、治療回路の出力パラメータを監視するように構成されている監視回路と、を備え、
前記比較器は、治療回路の出力パラメータを指定された閾値と比較するように構成されており、
治療回路の出力パラメータが指定された閾値を超えると比較器によって示されるとき、監視回路は保護回路に電気刺激の指定を調節させるように構成されている、システム。
［項目２］
保護回路は、治療回路が指定された電気刺激治療を完了させることを禁止するように構成されている、項目１に記載のシステム。
［項目３］
監視回路は約１マイクロ秒以下の遅延時間を有し、前記遅延時間は、治療回路の出力パラメータが指定された閾値を超えるときに開始し、治療回路を禁止するための監視回路による保護回路に対するトリガのアサートで終了する間隔を含む、項目１または２に記載のシステム。
［項目４］
医療デバイスはプロセッサ回路を備え、
監視回路および保護回路はプロセッサ回路に関して非同期に動作するように構成されている、項目１乃至３のいずれか一項に記載のシステム。
［項目５］
医療デバイスはプロセッサ回路を備え、
監視回路はプロセッサ回路に結合されており、治療回路の出力パラメータが前記指定された閾値を超えることが比較器によって示されるとき、障害を表す情報をプロセッサ回路に提供するように構成されている、項目１乃至４のいずれか一項に記載のシステム。
［項目６］
プロセッサは、無効化がアサートされるとき、障害を表す情報にかかわらず、指定された電気刺激治療を完了することを治療回路に少なくとも試行させるように構成されている、項目５に記載のシステム。
［項目７］
プロセッサは、障害の数をカウントするように構成されたカウンタを備え、
プロセッサは、障害の数のカウントが指定されたカウントを超えるとき、指定された電気刺激治療を完了することを治療回路に少なくとも試行させるように構成されている、項目６に記載のシステム。
［項目８］
プロセッサは、不整脈エピソードの持続時間を測定するように構成されたタイマを備え、
プロセッサは、不整脈エピソードの持続時間が指定された持続時間を超えるとき、障害を表す情報にかかわらず、前記電気刺激治療を完了することを治療回路に少なくとも試行させるように構成されている、項目６または７に記載のシステム。
［項目９］
治療回路は、障害を表す情報を用いてプロセッサによって提供される調節された電気刺激治療出力パラメータを用いて、電気刺激治療を提供するように構成されており、前記調節された電気刺激治療出力パラメータは、障害が存在しない状態において提供される指定された治療出力パラメータと比較して、調節された電流と、調節された電圧と、調節された出力と、調節されたエネルギーとのうちの１つ以上を含む、項目５乃至８のいずれか一項に記載のシステム。
［項目１０］
治療回路は、プロセッサ回路に提供される電極選択を用いて、また障害を表す情報を用いて、前記組織部位または該組織部位の近傍における第１の電極の組み合わせと、第２の電極の組み合わせとのうちの１つ以上に電気刺激治療を制御可能に提供するように構成されている、項目５乃至９のいずれか一項に記載のシステム。
［項目１１］
治療回路は導体を備え、治療回路の出力パラメータは該導体を通じる出力電流を含み、比較器は、前記導体の指定部分を通じて生じる電圧を前記指定された閾値と比較するように構成されている、項目１乃至１０のいずれか一項に記載のシステム。
［項目１２］
医療デバイスは植込型医療デバイスを含み、
前記システムは、該植込型医療装置に電気的および機械的に結合された植込型リード線を備え、該植込型リード線は、前記組織部位または該組織部位の近傍において植込可能な電極を備える、項目１乃至１１のいずれか一項に記載のシステム。
［項目１３］
治療回路は、絶縁ゲートバイポーラトランジスタ（ＩＧＢＴ）を備え、
治療回路は、少なくとも部分的にはＩＧＢＴを用いて、電気刺激治療を提供するように構成されており、
保護回路は、監視回路によって提供されるトリガに応答して、電気刺激治療の実施を禁止するべくＩＧＢＴのゲートを制御するように構成されている、項目１乃至１２のいずれか一項に記載のシステム。
［項目１４］
治療回路は、ゲートターンオフ（ＧＴＯ）サイリスタに結合された絶縁ゲートバイポーラトランジスタ（ＩＧＢＴ）を備え、
治療回路は、少なくとも部分的にはＧＴＯサイリスタを用いて、電気刺激治療を提供し、また、少なくとも部分的にはＩＧＢＴを用いて、ＧＴＯサイリスタの導通状態を制御するように構成されており、
保護回路は、監視回路によって提供されるトリガに応答して、ＧＴＯサイリスタによって電気刺激治療の実施を禁止するべくＩＧＢＴのゲートを制御するように構成されている、項目１乃至１３のいずれか一項に記載のシステム。
［項目１５］
プロセッサ回路およびメモリ回路を備える植込型医療デバイスであって、前記メモリ回路は、前記プロセッサ回路によって実行されたとき、植込型医療デバイスに、
治療回路を用いて、指定された電気刺激治療を組織部位に提供することであって、該指定された電気刺激治療は、予定された完了を含む、提供することと、
指定された電気刺激治療の提供中に監視回路を用いて、治療回路の出力パラメータを監視することであって、治療回路の出力パラメータを指定された閾値と比較することを含む、監視することと、
保護回路を用いて提供されている電気刺激治療の指定を調節することであって、治療回路の出力パラメータが指定された閾値を超えるとき調節された電気刺激治療を予定された完了の前に提供するように構成された、前記調節することと、を実行させる命令を含む、植込型医療デバイス。
［項目１６］
監視回路および保護回路はプロセッサ回路に関して非同期に動作するように構成されている、項目１５に記載の植込型医療デバイス。
［項目１７］
前記メモリ回路は、植込型医療デバイスに、
治療出力パラメータが前記指定された閾値を超えることに応答して、障害を表す情報をプロセッサ回路に提供することと、
障害を表す情報にかかわらず、指定された電気刺激治療を完了させることを治療回路に
少なくとも試行させることと、を行わせるための命令を備える、
項目１５または１６に記載の植込型医療デバイス。
［項目１８］
前記メモリ回路は、植込型医療デバイスに、
障害の数をカウントし、
プロセッサは、障害の数のカウントが指定されたカウントを超えるとき、障害を表す情報にかかわらず、指定された電気刺激治療を完了することを治療回路に少なくとも試行させるための命令を備える、項目１７に記載の植込型医療デバイス。
［項目１９］
前記メモリ回路は、植込型医療デバイスに、
不整脈エピソードの持続時間を測定することと、
不整脈エピソードの持続時間が指定された持続時間を超えるとき、障害を表す情報にかかわらず、指定された電気刺激治療を完了させることを治療回路に少なくとも試行させることと、を行わせるための命令を備える、
項目１７または１８に記載の植込型医療デバイス。
［項目２０］
前記メモリ回路は、植込型医療デバイスに、
障害を表す情報に応答してプロセッサによって提供される調節された電気刺激治療出力パラメータを用いて、電気刺激治療を提供することを行わせるための命令を備え、前記調節された電気刺激治療出力パラメータは、障害が存在しない状態において提供される指定された治療出力パラメータと比較して、調節された電流と、調節された電圧と、調節された出力と、調節されたエネルギーとのうちの１つ以上を含む、項目１７〜１９のいずれか一項に記載の植込型医療デバイス。